(57)【要約】
【課題】機内へのメダル投入が不許可となる状態において、メダル投入操作そのものが受け付けられないようにし、無駄なメダル投入を行うことができなくなるようにしたスロットマシンを提供する。
【解決手段】メダル入口２の近傍に、メダル投入口自体を閉塞する投入口閉塞手段１１を設ける。投入口閉塞手段１１は、メダル入口２のメダル直径と厚みに対応して形成された長方形状の開口部をピッタリと閉塞するシャッター部材１２で構成され、シャッター部材１２は電磁力によりシャッター部材収納室１１ａからメダル入口２の開口部側へ進退自在に構成されている。
【選択図】図１
0003099546.tif 000002
【実用新案登録請求の範囲】
【請求項１】
メダル投入口から投入されるメダルが本体内に正規に投入通過したことを検知してゲームの開始を行うスロットマシンにおいて、メダル投入口にメダル受け入れ不可信号により作動してメダルの投入口自体を閉塞する投入口閉塞手段を設けたことを特徴とするスロットマシン。
【考案の詳細な説明】
【技術分野】
【０００１】
　本考案は、メダル投入口から投入されるメダルが本体内に正規に投入通過したことを検知してゲームの開始を行うスロットマシンに関する。
【背景技術】
【０００２】
　一般にスロットマシンでは、ゲームの開始条件としてメダルの投入を要求しており、例えば、メダルの投入があった場合にのみゲームを開始するため、メダルの投入を検知する検知手段を設け、この検知手段からの信号に基づいてゲーム制御部が作動するようになっている。
【０００３】
　また、投入されるメダルが当該遊技機用の正規のメダルであれば、機内への通過を許容し、正規のメダルでない場合は、受け皿等へ返却する投入メダル選別手段も設けられている。正規のメダルであっても不正投入によりメダルを消費しないでゲームを行う場合もあるため、上記したメダル検知手段の信号をプログラム処理して不正投入の監視を行うようにもしている。
【０００４】
　一方、遊技ゲーム中や、予めメダルを投入しておくことで発揮されるクレジット機能が受け入れ枚数を越える場合や、遊技機自体がエラー状態になっているメダル投入不許可状態の場合には、機内へメダルを導入するセレクターレールの次段に設けたメダル投入許可コイルが通電し、セレクターレールに続くサブレールを磁着して後方に退避させるように投入メダル選別手段が作動している。このため、遊技メダルが投入されると、セレクターレールを通過したメダルは、サブレールが後方へ後退したことにより形成される開口部からメダル払出口を経てメダル受け皿へ返却されるようになっている。
【特許文献１】特開平７−８５９９号公報
【考案の開示】
【考案が解決しようとする課題】
【０００５】
　しかしながら、上記した従来の投入メダル選別手段では、メダル投入自体が無意味になる状態でも、メダルの投入が可能なため、遊技者にとって結果無駄な操作を行わせることになるという問題点があった。そこで、本考案は、機内へのメダル投入が不許可となる状態において、メダル投入操作そのものが受け付けられないようにし、無駄なメダル投入を行うことができなくなるようにしたスロットマシンを提供することを課題とする。
【課題を解決するための手段】
【０００６】
　上記課題を解決するため、本考案は次のような構成とした。すなわち、本考案にかかるスロットマシンは、メダル投入口から投入されるメダルが本体内に正規に投入通過したことを検知してゲームの開始を行うスロットマシンにおいて、メダル投入口にメダル受け入れ不可信号により作動してメダルの投入口自体を閉塞する投入口閉塞手段を設けたことを特徴としている。
【考案の効果】
【０００７】
　本発明のスロットマシンは、メダル投入口にメダル受け入れ不可信号により作動してメダルの投入口自体を閉塞する投入口閉塞手段を設けているので、クレジット機能が受け入れ枚数を越える場合や、遊技機がエラー状態になっているメダル投入不許可状態の場合に、メダル受け入れ不可信号が出力されることにより、投入口に設けた投入口閉塞手段が作動してメダル投入口を閉塞するため、メダルの投入自体を受け付けなくなり、無駄なメダル投入を防止することができる。
【考案を実施するための最良の形態】
【０００８】
　メダル投入操作そのものが受け付けられないようにし、無駄なメダル投入を行うことができなくなるようにした。
【実施例１】
【０００９】
　以下図面に表された実施の形態について説明する。図１は、スロットマシンのメダル投入口に設置されるユニットとして構成されたメダルセレクター１の構成を示す側面図で、図示しない遊技機本体の遊技メダル投入口に接合されるメダル入口２と遊技機内部にメダルを排出するメダル出口３とを有し、このメダル入口２からメダル出口３に至る通路を形成する遊技メダルレール部４を中心に略平行四辺形状に形成されている。
【００１０】
　遊技メダルレール部４の前段には、ばね５の弾性力に抗して開閉するキャンセル用プレート６が設けられ、遊技メダルレール部４の後段にはコ字状をしてレール部を跨ぐように形成された２組のメダルセンサー７，８が設けられている。また、メダルセンサーが設けられた後段の遊技メダルレール部４は電磁コイルの吸引により可動するサブレール９によってメダル通路が構成されている。
【００１１】
　遊技メダルの投入可能時に、正規の遊技メダルがメダル入口２に投入されると、遊技メダルレール部４の前段を通過した遊技メダルは、後段のサブレール９上を通過し、メダルセンサー７，８を通過してメダル出口３から本体内のメダル払出装置へ収納される。正規の遊技メダルより小さいメダルが投入されると、図２に示すように、自重でメダルレール部４から下に外れ落ちるようになっている。
【００１２】
　大きいメダルが投入されてレール内に詰まった状態になると、図３に示すように、キャンセル用プレート６を開くことにより遊技メダルを押し出してレール下に外れ落とすことで受け皿側へ返却されるようになっている。また、従来と同様に遊技メダル受付不可の場合には、図４に示すように、遊技メダルレール部４の後段に設けた電磁コイルが通電し、サブレール９を磁着して後方に退避させ、遊技メダルをメダル受け皿側へ返却するように投入メダル選別手段が作動する。
【００１３】
　上記したキャンセル用プレート６やサブレール９の駆動は、セレクター駆動信号コード１０を本体側の図示しないＣＰＵ制御回路２０に接続することでＣＰＵ側の駆動信号により行われ、メダルセンサー７，８のメダル検知信号はＣＰＵ制御回路２０側へ出力され、メダルの不正投入が行われていないか否かが判断されるように構成されている。
【００１４】
　また、メダル入口２の近傍には、メダル投入口自体を閉塞する投入口閉塞手段１１が設けられている。投入口閉塞手段１１は、メダル入口２のメダル直径と厚みに対応して形成された長方形状の開口部をピッタリと閉塞するシャッター部材１２で構成され、シャッター部材１２は電磁力によりシャッター部材収納室１１ａからメダル入口２の開口部側へ進退自在に構成されている。
【００１５】
　シャッター部材１２は、通常時に収納室１１ａ内に退避しているが、図示しないＣＰＵ制御回路２０からメダル受け入れ不可信号が入力すると前方に進出され、メダル入口２を閉塞するよに動作制御されている。このメダル受け入れ不可信号は、クレジット機能が受け入れ枚数を越える場合や、遊技機がエラー状態になっている場合等のメダル投入不許可状態時にＣＰＵ制御回路２０から出力される。
【００１６】
　投入口閉塞手段１１におけるメダル入口２の閉塞機能は、シャッター部材１２をスライドさせたり各種の開閉形態を適用することが可能で、ユニットとして構成されるメダルセレクターの形状や設置スペースを考慮して閉塞手段を設けることができる。
【００１７】
　このように、メダル受け入れ不可状態時を判断して出力される信号により作動するメダルの投入口閉塞手段１１を設けることにより、投入操作そのものが無駄となるメダル投入を防止することができる。
【産業上の利用可能性】
【００１８】
　メダル受け入れ不可状態時を判断して信号を出力する機能を有するスロットマシンに適用できる。
【図面の簡単な説明】
【００１９】
【図１】スロットマシンのメダル投入口に設置されるユニットとして構成されたメダルセレクターの構成を模式的に示す側面図である。
【図２】正規の遊技メダルより小さいメダルが投入されると、メダルレール部の前段でメダルが自重により下に外れ落ちる様子を説明する側面図と断面図である。
【図３】正規の遊技メダルより大きいメダルが投入されると、キャンセル用プレートを開くことにより遊技メダルを押し出して下に外れ落ちる様子を説明する側面図と断面図である。
【図４】通常の遊技メダル受付不可の場合に、遊技メダルレール部の後段で電磁吸着によりサブレールが後退してメダルが受け皿側に返却される様子を説明する側面図と断面図である。
【符号の説明】
【００２０】
１　　　メダルセレクター
２　　　メダル入口
３　　　メダル出口
４　　　遊技メダルレール部
７，８　メダルセンサー
１１　　投入口閉塞手段
１２　　シャッター部材
２０　　ＣＰＵ制御回路
【図１】
0003099546.tif 000003
【図２】
0003099546.tif 000004
【図３】
0003099546.tif 000005
【図４】
0003099546.tif 000006